(57)【要約】【課題】リモコン制御可能な複数の機器を集中して制御する。【解決手段】複数の機器を連続して操作を行う一連の制御内容を示す制御シナリオと、その機器それぞれの制御方法を示す制御情報を記憶しておき、受信デバイス２が受信した命令信号に対応する制御シナリオに基づいて、機器それぞれを送信デバイス３により制御する。これにより、機器を集中して一括制御することができる。【選択図】図１
2009260523.tif 000002
【特許請求の範囲】
【請求項１】
リモコン制御可能な１つ以上の機器を制御する制御装置と、前記制御装置に前記機器の一連の制御内容を示す制御シナリオ及び前記機器の制御方法を示す制御情報を送信する管理装置とを有する制御システムであって、
前記制御装置は、
前記制御シナリオを記憶させたシナリオ蓄積手段と、
前記制御情報を記憶させた制御情報蓄積手段と、
命令信号を入力し、その命令信号に対応する前記制御シナリオを前記シナリオ蓄積手段から読み出す命令認識手段と、
前記命令認識手段が読み出した前記制御シナリオが示す制御内容のそれぞれに基づいて前記制御情報を前記制御情報蓄積手段から読み出し、その制御情報に基づいて前記機器を制御する制御手段と、
前記制御シナリオを受信し、前記シナリオ蓄積手段に記憶させるシナリオ更新手段と、
前記制御情報を受信し、前記制御情報蓄積手段に記憶させる制御情報更新手段と、を有し、
前記管理装置は、
利用者の有する前記機器に関する情報とその機器に関連した前記制御シナリオとを利用者毎に記憶させた個別情報蓄積手段と、
前記制御情報を機器毎に記憶させた機器情報蓄積手段と、
前記個別情報蓄積手段に対して新たな前記制御シナリオの登録があったときには、前記個別情報蓄積手段から前記制御シナリオを読み出して前記制御装置に送信する制御シナリオ送信手段と、
前記個別情報蓄積手段に対して新たな前記機器の登録があったときには、前記機器情報蓄積手段からその機器に対応する前記制御情報を読み出して前記制御装置に送信する制御情報送信手段と、を有すること
を特徴とする制御システム。 
【請求項２】
リモコン制御可能な１つ以上の機器を制御する制御装置であって、
前記１つ以上の機器の一連の制御内容を示す制御シナリオを記憶させたシナリオ蓄積手段と、
前記機器それぞれの制御方法を示す制御情報を記憶させた制御情報蓄積手段と、
命令信号を入力し、その命令信号に対応する前記制御シナリオを前記シナリオ蓄積手段から読み出す命令認識手段と、
前記命令認識手段が読み出した前記制御シナリオが示す制御内容のそれぞれに基づいて前記制御情報を前記制御情報蓄積手段から読み出し、その制御情報に基づいて前記機器を制御する制御手段と、
を有することを特徴とする制御装置。
【請求項３】
前記制御シナリオを受信し、前記シナリオ蓄積手段に記憶させるシナリオ更新手段と、
前記制御情報を受信し、前記制御情報蓄積手段に記憶させる制御情報更新手段と、
を有することを特徴とする請求項２記載の制御装置。
【請求項４】
１つ以上の機器の一連の制御内容を示す制御シナリオに基づいて前記１つ以上の機器を制御する制御装置に制御シナリオ及び前記機器の制御方法を示す制御情報を送信する管理装置であって、
利用者の有する前記機器に関する情報とその機器に関連した前記制御シナリオとを利用者毎に記憶させた個別情報蓄積手段と、
前記制御情報を機器毎に記憶させた機器情報蓄積手段と、
前記個別情報蓄積手段に対して新たな前記制御シナリオの登録があったときには、前記個別情報蓄積手段から前記制御シナリオを読み出して前記制御装置に送信する制御シナリオ送信手段と、
前記個別情報蓄積手段に対して新たな前記機器の登録があったときには、前記機器情報蓄積手段からその機器に対応する前記制御情報を読み出して前記制御装置に送信する制御情報送信手段と、
を有することを特徴とする管理装置。
【請求項５】
リモコン制御可能な１つ以上の機器を制御する制御方法であって、
命令認識手段により、命令信号を入力して、前記１つ以上の機器の一連の制御内容を示す制御シナリオを記憶させたシナリオ蓄積手段からその命令信号に対応する前記制御シナリオを読み出すステップと、
制御手段により、前記機器それぞれの制御方法を示す制御情報を記憶させた制御情報蓄積手段から読み出した前記制御シナリオが示す制御内容のそれぞれに基づいて前記制御情報を読み出し、その制御情報に基づいて前記機器を制御するステップと、
を有することを特徴とする制御方法。
【請求項６】
シナリオ更新手段により、前記制御シナリオを受信して前記シナリオ蓄積手段に記憶させるステップと、
制御情報更新手段により、前記制御情報を受信して前記制御情報蓄積手段に記憶させるステップと、
を有することを特徴とする請求項５記載の制御方法。
【請求項７】
１つ以上の機器の一連の制御内容を示す制御シナリオに基づいて前記１つ以上の機器を制御する制御装置に制御シナリオ及び前記機器の制御方法を示す制御情報を送信する管理方法であって、
利用者の有する前記機器に関する情報とその機器に関連した制御シナリオとを利用者毎に記憶させた個別情報蓄積手段に対して新たな前記制御シナリオの登録があったときには、制御シナリオ送信手段により、前記個別情報蓄積手段から前記制御シナリオを読み出して前記制御装置に送信するステップと、
前記個別情報蓄積手段に対して新たな前記機器の登録があったときには、制御情報送信手段により、前記制御情報を機器毎に記憶させた機器情報蓄積手段から登録があった機器に対応する前記制御情報を読み出して前記制御装置に送信するステップと、
を有することを特徴とする管理方法。
【請求項８】
請求項２又は３に記載した制御装置が有する各手段としてコンピュータを機能させるための制御プログラム。
【請求項９】
請求項４に記載した管理装置が有する各手段としてコンピュータを機能させるための管理プログラム。
【請求項１０】
請求項８又は９に記載のプログラムを記録したコンピュータ読み取り可能な記録媒体。
【発明の詳細な説明】
【技術分野】
【０００１】
本発明は、リモコン制御可能な機器を集中して制御する技術に関する。
【背景技術】
【０００２】
ネットワークに接続され、通信プロトコルを備えた端末機器群に対して、単独操作、及び複数の機器を連携させた動作を可能とする技術が知られている（例えば、特許文献１参照）。
【特許文献１】特開２００５−３３２０７０号公報
【発明の開示】
【発明が解決しようとする課題】
【０００３】
しかしながら、制御端末から被制御端末へネットワークを介して制御命令を送信する特許文献１に記載の技術では、被制御端末がネットワークに接続され、操作手順を定義した通信プロトコルを備えている必要がある。ネットワークに接続されておらず、通信プロトコルを実装していない機器を含めた複数の機器を連携させて制御することができなかった。
【０００４】
一般に、家庭に設置されている端末機器群は、ネットワーク接続機能がなく、リモコン等で制御されることが多い。
【０００５】
本発明は、上記に鑑みてなされたものであり、その課題とするところは、リモコン制御可能な複数の機器を集中して制御することにある。
【課題を解決するための手段】
【０００６】
第１の本発明に係る制御システムは、リモコン制御可能な１つ以上の機器を制御する制御装置と、制御装置に機器の一連の制御内容を示す制御シナリオ及び機器の制御方法を示す制御情報を送信する管理装置とを有する制御システムであって、制御装置は、制御シナリオを記憶させたシナリオ蓄積手段と、制御情報を記憶させた制御情報蓄積手段と、命令信号を入力し、その命令信号に対応する制御シナリオをシナリオ蓄積手段から読み出す命令認識手段と、命令認識手段が読み出した制御シナリオが示す制御内容のそれぞれに基づいて制御情報を制御情報蓄積手段から読み出し、その制御情報に基づいて機器を制御する制御手段と、制御シナリオを受信し、シナリオ蓄積手段に記憶させるシナリオ更新手段と、制御情報を受信し、制御情報蓄積手段に記憶させる制御情報更新手段と、を有し、管理装置は、利用者毎に、当該利用者の有する機器に関する情報と、その機器に関連した制御シナリオとを記憶させた個別情報蓄積手段と、機器毎に、当該機器の制御情報を記憶させた機器情報蓄積手段と、個別情報蓄積手段に対して新たな制御シナリオの登録があったときには、個別情報蓄積手段から制御シナリオを読み出して制御装置に送信する制御シナリオ送信手段と、個別情報蓄積手段に対して新たな機器の登録があったときには、機器情報蓄積手段からその機器に対応する制御情報を読み出して制御装置に送信する制御情報送信手段と、を有することを特徴とする。
【０００７】
本発明にあっては、複数の機器を連続して操作を行う一連の制御内容を示す制御シナリオとその機器それぞれの制御方法を示す制御情報を記憶しておき、命令認識手段が入力した命令信号に対応する制御シナリオに基づいて各機器を制御することにより、単一の機器に限らず、複数の機器の一括制御が可能となる。また、その制御シナリオおよび制御情報を管理装置において利用者毎に一括管理し、管理装置は、利用者から新たな機器等の登録があったときに制御シナリオおよび制御情報を制御装置に送信することにより、利用者は、制御シナリオ、制御情報を制御装置に登録する煩雑な作業が不要となる。
【０００８】
第２の本発明に係る制御装置は、リモコン制御可能な１つ以上の機器を制御する制御装置であって、１つ以上の機器の一連の制御内容を示す制御シナリオを記憶させたシナリオ蓄積手段と、機器それぞれの制御方法を示す制御情報を記憶させた制御情報蓄積手段と、命令信号を入力し、その命令信号に対応する制御シナリオをシナリオ蓄積手段から読み出す命令認識手段と、命令認識手段が読み出した制御シナリオが示す制御内容のそれぞれに基づいて制御情報を制御情報蓄積手段から読み出し、その制御情報に基づいて機器を制御する制御手段と、を有することを特徴とする。
【０００９】
本発明にあっては、機器の一連の制御内容を示す制御シナリオとその機器それぞれの制御方法を示す制御情報を記憶しておき、命令認識手段が入力した命令信号に対応する制御シナリオに基づいて各機器を制御することにより、単一の機器に限らず、複数の機器の一括制御が可能となる。各機器の制御は、その機器を制御するためのリモコンと同様の命令を送信することで行うので、各機器をネットワークに接続する必要がない。なお、リモコンと同様の命令を送信するための情報は、制御情報として記憶しておく。
【００１０】
上記制御装置において、制御シナリオを受信し、シナリオ蓄積手段に記憶させるシナリオ更新手段と、制御情報を受信し、制御情報蓄積手段に記憶させる制御情報更新手段と、を有することを特徴とする。
【００１１】
本発明にあっては、制御シナリオおよび制御情報を受信することにより、利用者が制御装置にこれらの情報を登録する煩雑な作業が不要となる。
【００１２】
第３の本発明に係る管理装置は、１つ以上の機器の一連の制御内容を示す制御シナリオに基づいて１つ以上の機器を制御する制御装置に制御シナリオ及び機器の制御方法を示す制御情報を送信する管理装置であって、利用者の有する機器に関する情報とその機器に関連した制御シナリオと利用者毎に記憶させた個別情報蓄積手段と、制御情報を機器毎に記憶させた機器情報蓄積手段と、個別情報蓄積手段に対して新たな制御シナリオの登録があったときには、個別情報蓄積手段から制御シナリオを読み出して制御装置に送信する制御シナリオ送信手段と、個別情報蓄積手段に対して新たな機器の登録があったときには、機器情報蓄積手段からその機器に対応する制御情報を読み出して制御装置に送信する制御情報送信手段と、を有することを特徴とする。
【００１３】
本発明にあっては、利用者毎に機器や制御シナリオを一括管理し、新たな機器や制御シナリオの登録があったときには、その機器や制御シナリオを制御装置に対して送信することにより、利用者は自ら制御装置に機器や制御シナリオを登録する煩雑な作業が不要となる。
【００１４】
第４の本発明に係る制御方法は、リモコン制御可能な１つ以上の機器を制御する制御方法であって、命令認識手段により、命令信号を入力して、１つ以上の機器の一連の制御内容を示す制御シナリオを記憶させたシナリオ蓄積手段からその命令信号に対応する制御シナリオを読み出すステップと、制御手段により、機器それぞれの制御方法を示す制御情報を記憶させた制御情報蓄積手段から読み出した制御シナリオが示す制御内容のそれぞれに基づいて制御情報を読み出し、その制御情報に基づいて機器を制御するステップと、を有することを特徴とする。
【００１５】
上記制御方法において、シナリオ更新手段により、制御シナリオを受信してシナリオ蓄積手段に記憶させるステップと、制御情報更新手段により、制御情報を受信して制御情報蓄積手段に記憶させるステップと、を有することを特徴とする。
【００１６】
第５の本発明に係る管理方法は、１つ以上の機器の一連の制御内容を示す制御シナリオに基づいて１つ以上の機器を制御する制御装置に制御シナリオ及び機器の制御方法を示す制御情報を送信する管理方法であって、利用者の有する機器に関する情報とその機器に関連した制御シナリオとを利用者毎に記憶させた個別情報蓄積手段に対して新たな制御シナリオの登録があったときには、制御シナリオ送信手段により、個別情報蓄積手段から制御シナリオを読み出して制御装置に送信するステップと、個別情報蓄積手段に対して新たな機器の登録があったときには、制御情報送信手段により、制御情報を機器毎に記憶させた機器情報蓄積手段から登録があった機器に対応する制御情報を読み出して制御装置に送信するステップと、を有することを特徴とする。
【００１７】
第６の本発明に係る制御プログラムは、上記制御装置が有する各手段としてコンピュータを機能させるためのプログラムである。
【００１８】
第７の本発明に係る制御プログラムは、上記管理装置が有する各手段としてコンピュータを機能させるためのプログラムである。
【００１９】
第８の本発明に係る記録媒体は、上記プログラムを記録したコンピュータ読み取り可能な記録媒体である。
【発明の効果】
【００２０】
本発明によれば、リモコン制御可能な複数の機器を集中して制御することができる。
【発明を実施するための最良の形態】
【００２１】
以下、本発明の実施の形態について図面を用いて説明する。
【００２２】
図１は、本実施の形態における機器制御システムの構成を示す模式図である。図１に示す機器制御システムは、機器制御装置１、受信デバイス２および送信デバイス３を住宅１００内に備える。機器制御装置１は、ネットワーク４を介して管理サーバ５に接続される。本機器制御システムは、ＰＣ（パーソナルコンピュータ）６が送信した命令信号を受信デバイス２が受信し、機器制御装置１が、所定の操作内容に基づいて送信デバイス３により、電気照明７、エアコン８およびテレビ９などリモコン制御可能な一連の機器を制御するものである。管理サーバ５には各機器を制御するための制御情報や機器の一連の操作内容を示す制御シナリオが格納されており、機器制御装置１は、制御情報や制御シナリオをネットワーク４を介して受信する。なお、図１では、命令信号を送信する端末（命令デバイス）としてＰＣ６のみが示されているが、ＰＣ６に限るものではなく、携帯電話、ＩＣカードリーダなどのように電気によって命令信号を出力するデバイスであればよく、１つに限るものでもない。もちろん、機器制御装置１が制御する機器は、図１に示した電気照明７、エアコン８およびテレビ９に限るものではない。
【００２３】
次に、機器制御装置１について説明する。図２は、機器制御装置１の構成を示すブロック図である。図２に示す機器制御装置１は、ネットワーク部１１、命令認識部１２、制御情報出力部１３、シナリオ蓄積部１４および制御情報蓄積部１５を備える。各部は、内部バスを介して接続される。機器制御装置１には、受信デバイス２、送信デバイス３が接続される。受信デバイス２として、赤外線、Ｂｌｕｅｔｏｏｔｈ（登録商標）、ＺｉｇＢｅｅ（登録商標）、特定小電力無線等の規格毎のデバイスを装備することで、様々な命令デバイスから送信される命令信号を受信することが可能となる。また、送信デバイス３も同様に、赤外線等の規格毎のデバイスを装備することで、様々な規格の信号を送信でき、その規格に対応する機器を制御することが可能となる。なお、機器制御装置１を、演算処理装置、記憶装置、メモリ等を備えたコンピュータにより構成して、各部の処理がプログラムによって実行されるものとしてもよい。このプログラムは機器制御装置１が備える記憶装置に記憶されており、磁気ディスク、光ディスク、半導体メモリ等の記録媒体に記録することも、ネットワークを通して提供することも可能である。以下、各部の詳細について説明する。
【００２４】
シナリオ蓄積部１４は、命令信号と制御シナリオとを関連付けて格納する。制御シナリオとは、機器をどのように動作させるのかといった機器の操作内容を示す情報であり、単一の機器に限らず、複数の機器の操作内容を含むものである。例えば、図３に示すように、命令信号「命令０００１」には、「電気照明の電源ＯＮ」、「テレビの電源ＯＮ」といった機器の一連の操作内容を示す制御シナリオが関連付けられている。
【００２５】
制御情報蓄積部１５は、送信デバイス３により機器を動作させるための制御情報を格納する。本実施の形態では、制御情報として送信方式と制御データとを格納する。図４に示すように、例えば、「電気照明」を「電源ＯＮ」させる制御情報としては、送信方式「ＩｒＤＡ」、制御データ「０１ｘ０８」を格納している。よって、「電気照明」を「電源ＯＮ」させるためには、送信方式「ＩｒＤＡ」が利用可能な送信デバイス３により制御データ「０１ｘ０８」を送信する。
【００２６】
命令認識部１２は、受信デバイス２が受信したＰＣ６などの命令デバイスが送信する命令信号を入力し、その命令信号の示す制御シナリオをシナリオ蓄積部１４から検索して制御情報出力部１３へ出力する。
【００２７】
制御情報出力部１３は、命令認識部１２から制御シナリオを入力し、その制御シナリオに示された操作内容を実行させるための制御情報を制御情報蓄積部１５から検索する。そして、得られた制御情報に基づいて適切な送信デバイス３から制御データを送信することで機器を制御する。
【００２８】
ネットワーク部１１は、モデムやＴＡ（ターミナルアダプタ）、無線ＴＡ等で構成される。ネットワーク部１１は、ネットワーク４を介して管理サーバ５と通信を行う。管理サーバ５からは、機器を操作するための制御情報や制御シナリオが送信される。ネットワーク４として電話回線等の公衆回線あるいはインターネットなどを利用する。
【００２９】
次に、管理サーバ５について説明する。管理サーバ５は、利用者の保有する機器の情報やその機器の一連の操作内容など機器を制御するための情報を一括管理する。管理サーバ５が利用者から機器の登録を受け付けると、登録された機器を制御するための制御情報やその機器の操作を含む制御シナリオを、利用者の住宅１００内に配置された機器制御装置１に対して送信する。
【００３０】
図５は、管理サーバ５の構成を示すブロック図である。図５に示す管理サーバ５は、ネットワーク部５１、シナリオ送信部５２、制御情報送信部５３、個別情報蓄積部５４および機器情報蓄積部５５を備える。管理サーバ５を、演算処理装置、記憶装置、メモリ等を備えたコンピュータにより構成して、各部の処理がプログラムによって実行されるものとしてもよい。このプログラムは管理サーバ５が備える記憶装置に記憶されており、磁気ディスク、光ディスク、半導体メモリ等の記録媒体に記録することも、ネットワークを通して提供することも可能である。以下、各部の詳細について説明する。
【００３１】
ネットワーク部５１は、ネットワーク４に接続され、機器制御装置１とネットワーク４を介して通信を行う。
【００３２】
個別情報蓄積部５４には、各利用者の個別情報が記憶される。個別情報とは、例えば、利用者の個人情報、命令信号を送信する命令デバイスの種類、住宅１００に設置された制御対象となる機器の種類および制御プログラムなどである。制御プログラムは、利用者の住宅１００内に配置された機器や利用者の要望により作成された制御シナリオをまとめたものである。図６に、利用者の個別情報の例として、利用者ＩＤ、命令デバイス、所有機器および制御プログラムを示す。
【００３３】
シナリオ送信部５２は、制御プログラムを個別情報蓄積部５４から読み出し、ネットワーク部５１を介して機器制御装置１へ送信する。
【００３４】
機器情報蓄積部５５には、各利用者で共通する機器情報が記憶される。機器情報とは、例えば、機器を特定する型番、機器のリモコン情報および機器制御プログラムなどである。リモコン情報とは、その機器がどのような送信方式で制御されるのかといった情報を含む。機器制御プログラムは、機器をどのように動作させるのかといった制御データを含む。図７に、機器情報の例として、型番、リモコン情報および機器制御プログラムを示す。
【００３５】
制御情報送信部５３は、リモコン情報、機器制御プログラムを機器情報蓄積部５５から読み出し、ネットワーク部５１を介して機器制御装置１へ送信する。
【００３６】
次に、機器制御システムの動作について説明する。図８は、管理サーバ５が制御プログラム、リモコン情報および機器制御プログラムを送信する動作を示すシーケンス図である。住宅１００内に新たに機器を設置したり、命令デバイスを追加したとき、あるいは、新たな連携動作を行いたいときなど、利用者からの申請がある。そして、管理サーバ５の運営者は、利用者からの申請に基づいて、個別情報蓄積部５４の個別情報を更新する。個別情報の更新は、管理サーバ５に接続された入力装置やローカルエリアネットワークを介して行われる。
【００３７】
個別情報が更新されると、まず、管理サーバ５は、更新された制御プログラムを個別情報蓄積部５４から読み出し、機器制御装置１へ送信する（ステップＳ８０１）。機器制御装置１は、受信した制御プログラムに含まれる制御シナリオをシナリオ蓄積部１４に保存する（ステップＳ８０２）。
【００３８】
続いて、管理サーバ５は、追加された機器に対応するリモコン情報、機器制御プログラムを機器情報蓄積部５５から読み出し、機器制御装置１へ送信する（ステップＳ８０３）。機器制御装置１は、受信したリモコン情報、機器制御プログラムに基づいた機器情報を制御情報蓄積部１５に保存する（ステップＳ８０４）。
【００３９】
このように、管理サーバ５が更新された制御シナリオや追加した機器に対応する制御プログラムを機器制御装置１へ送信することで、利用者が機器制御装置１に制御情報や制御シナリオを登録する作業が不要となる。
【００４０】
次に、機器制御システムが機器を制御する動作について説明する。図９は、ＰＣ６によりテレビ９と電気照明７の電源をオンにする動作を示すシーケンス図である。
【００４１】
まず、利用者がＰＣ６により命令信号を送信する（ステップＳ９０１）。受信デバイス２は、受信した命令信号を機器制御装置１へ出力する（ステップＳ９０２）。
【００４２】
命令認識部１２は、入力した命令信号に対応する制御シナリオをシナリオ蓄積部１４から読み出し（ステップＳ９０３）、どの機器にどのような動作をさせるのかといった制御内容を制御情報出力部１３へ出力する（ステップＳ９０４）。
【００４３】
制御情報出力部１３は、入力した制御内容に対応する制御情報を制御情報蓄積部１５から読み出し（ステップＳ９０５）、その制御情報を送信デバイス３へ出力する（ステップＳ９０６）。
【００４４】
送信デバイス３は、入力した制御情報に基づいて機器を制御する制御信号をその機器に対応した送信方式で送信する。図９に示す例では、テレビ９の電源をオンにする制御信号をＲＦを用いて出力する（ステップＳ９０７）。その制御信号を受信したテレビ９の電源がオンとなる（ステップＳ９０８）。さらに、電気照明７の電源をオンにする制御信号を赤外線を用いて出力する（ステップＳ９０９）。その制御信号を受信した電気照明７の電源がオンとなる（ステップＳ９１０）。
【００４５】
このように利用者は命令デバイスを用いて住宅１００内に配置された機器を連携させて制御することが可能である。ここでは、テレビ９と電気照明７の電源をオンする単純な例を示したが、もちろん、もっと複雑に機器を連携させることも可能である。
【００４６】
図１０は、ネットワーク４を介して機器の制御を行う様子を示した図である。ネットワーク４に接続された機器制御装置１は、携帯電話１０からネットワークを介して命令信号を受信する。ネットワーク４を介して受信された命令信号は、命令認識部１２に送信される。その後は、その命令信号に対応する制御シナリオに従って機器が制御される。このように、ネットワーク４を介して命令信号を受信することで、住宅１００外から機器を制御することが可能である。
【００４７】
したがって、本実施の形態によれば、複数の機器を連続して操作を行う一連の制御内容を示す制御シナリオと、その機器それぞれの制御方法を示す制御情報を記憶しておき、受信デバイス２が受信した命令信号に対応する制御シナリオに基づいて、機器それぞれを送信デバイス３により制御することで、機器を集中して一括制御することができる。
【００４８】
本実施の形態によれば、各機器の制御情報を制御情報蓄積部１５に記憶しておき、送信デバイス３により機器の送信方式に合わせて制御データを送信することで、各機器を制御するリモコンを用いずに機器の制御が可能となる。
【００４９】
本実施の形態によれば、管理サーバ５が利用者の機器や制御シナリオなどの個別情報と、各機器の制御情報を一括して管理し、機器制御装置１が管理サーバ５から制御シナリオや制御情報を受信して記憶することにより、利用者は自ら機器制御装置１に制御シナリオや制御情報を登録する必要がなくなる。
【００５０】
なお、住宅１００内において同じリモコン制御信号で複数の異なる機器が同時に動作する場合、それらの機器を個別制御することはできない。しかし、機器のリモコン仕様で、リモコン制御チャネルの設定等、機器自体が同機種の複数機器の判別をする機能を有する場合は、その判別の仕組みに相当する制御信号を区別して送信デバイス３から送信することで複数機器の制御を行うことができる。
【図面の簡単な説明】
【００５１】
【図１】一実施の形態における機器制御システムの構成を示す模式図である。
【図２】上記機器制御システムに用いる機器制御装置の構成を示すブロック図である。
【図３】上記機器制御装置に格納される命令に対応つけた操作内容を示す表である。
【図４】上記機器制御装置に格納される機器の動作に対応つけた制御データを示す表である。
【図５】図１の機器制御システムに用いる管理サーバの構成を示すブロック図である。
【図６】上記管理サーバに格納される個別情報を示す表である。
【図７】上記管理サーバに格納される機器情報を示す表である。
【図８】上記管理サーバから機器制御装置へ各種情報を送信する処理の流れを示すシーケンス図である。
【図９】上記機器制御装置により各種機器を制御する処理の流れを示すシーケンス図である。
【図１０】一実施の形態における別の機器制御システムの構成を示す模式図である。
【符号の説明】
【００５２】
１…機器制御装置
２…受信デバイス
３…送信デバイス
４…ネットワーク
５…管理サーバ
６…ＰＣ
７…電気照明
８…エアコン
９…テレビ
１０…携帯電話
１１…ネットワーク部
１２…命令認識部
１３…制御情報出力部
１４…シナリオ蓄積部
１５…制御情報蓄積部
５１…ネットワーク部
５２…シナリオ送信部
５３…制御情報送信部
５４…個別情報蓄積部
５５…機器情報蓄積部
１００…住宅
【図１】
2009260523.tif 000003
【図２】
2009260523.tif 000004
【図３】
2009260523.tif 000005
【図４】
2009260523.tif 000006
【図５】
2009260523.tif 000007
【図６】
2009260523.tif 000008
【図７】
2009260523.tif 000009
【図８】
2009260523.tif 000010
【図９】
2009260523.tif 000011
【図１０】
2009260523.tif 000012